(57)【要約】  ＭＲＩに基づく分子イメージングは、造影剤の正確な定量化により強力にサポートされる。本発明の模範的実施例によると、造影剤は、多重注入投与スキームに基づいて投与され、この間に緩和速度の変化が決定される。これは、ＭＲＩ緩和測定法により腫瘍血管増生の正確な決定を提供することができる。
2009507545.tif 000002
【特許請求の範囲】
【請求項１】
関心対象の検査用の検査装置において、
第１の造影剤投与の後かつ第２の造影剤投与の前に第１の造影剤濃度を測定し、前記第２の造影剤投与の後に第２の造影剤濃度を測定し、総合造影剤投与値の関数としての測定された造影剤濃度値の系列を生じるように構成された取得ユニット、
を有する検査装置。
【請求項２】
第１の所定の時間に前記第１の造影剤投与を実行し、第２の所定の時間に前記第２の造影剤投与を実行する造影剤投与ユニット、
を更に有する、請求項１に記載の検査装置。
【請求項３】
前記検査装置が、磁気共鳴検査装置であり、前記第１の造影剤濃度が、第１の緩和速度に基づいて測定され、前記第２の造影剤濃度が、第２の緩和速度に基づいて測定され、総合造影剤投与値の関数として測定された緩和速度値の系列を生じる、
請求項１に記載の検査装置。
【請求項４】
前記系列に基づいて造影剤の注入量に対して緩和速度の変化を決定するように構成される決定ユニット、
を更に有する、請求項３に記載の検査装置。
【請求項５】
前記第１の緩和速度が、スピン‐スピン横緩和速度に基づき、磁場不均一性を組み込む、請求項３に記載の検査装置。
【請求項６】
前記総合投与値の関数としての前記測定された造影剤濃度の系列が、線形の傾きを持ち、
前記決定ユニットが、前記線形の傾きをフィッティングするように更に構成され、
前記フィッティングが、前記第１の測定された造影剤濃度の対応する第１のエラーバーでの重み付け及び前記第２の測定された造影剤濃度の対応する第２のエラーバーでの重み付けに基づいて実行される、
請求項１に記載の検査装置。
【請求項７】
前記決定ユニットが、
前記傾きの線形の偏差をモニタリングし、
前記モニタリングされた偏差に基づいて前記関心対象の漏出性を決定する、
ように更に構成される、
請求項６に記載の検査装置。
【請求項８】
前記漏出性の決定が、前記測定された造影剤濃度値の系列に対する非線形モデルのフィッティングに基づいて実行される、
請求項６に記載の検査装置。
【請求項９】
前記関心対象が、第１のボクセル及び第２のボクセルを有し、前記傾きの線形の偏差のモニタリングが、前記第１のボクセル及び前記第２のボクセルに対して実行され、前記関心対象内の異なる領域の区別を生じる、
請求項７に記載の検査装置。
【請求項１０】
前記造影剤投与ユニットが、連続的な注入手順の間に前記第１の造影剤投与及び前記第２の造影剤投与を実行するように更に構成される、
請求項１に記載の検査装置。
【請求項１１】
手荷物検査装置、医学的応用装置、材料試験装置及び材料科学解析装置からなるグループの１つとして構成される、請求項１に記載の検査装置。
【請求項１２】
磁気共鳴検査装置、コンピュータ断層撮影検査装置、陽電子放出断層撮影装置、単光子放出コンピュータ断層撮影装置、Ｘ線イメージング装置、及び超音波イメージング装置からなるグループの１つとして構成される、請求項１に記載の検査装置。
【請求項１３】
関心対象の検査用の画像処理デバイスにおいて、前記画像処理デバイスが、
前記関心対象のデータセットを記憶するメモリ、
を有し、
前記データセットが、第１の造影剤投与の後かつ第２の造影剤投与の前に測定された第１の造影剤濃度、及び前記第２の造影剤投与の後に測定された第２の造影剤濃度を有し、総合造影剤投与値の関数として測定された造影剤濃度値の系列を生じる、
画像処理デバイス。
【請求項１４】
関心対象の検査のコンピュータプログラムが記憶されるコンピュータ読み取り可能媒体において、前記コンピュータプログラムが、プロセッサにより実行される場合に、
第１の造影剤投与を実行するステップと、
第２の造影剤投与を実行するステップと、
前記第１の造影剤投与の後かつ前記第２の造影剤投与の前に第１の造影剤濃度を測定し、前記第２の造影剤投与の後に第２の造影剤濃度を測定し、総合造影剤投与値の関数として測定された造影剤濃度値の系列を生じるステップと、
を実行するように構成される、コンピュータ読み取り可能媒体。
【請求項１５】
関心対象の検査のプログラムにおいて、プロセッサにより実行される場合に、
第１の造影剤投与を実行するステップと、
第２の造影剤投与を実行するステップと、
前記第１の造影剤投与の後かつ前記第２の造影剤投与の前に第１の造影剤濃度を測定し、前記第２の造影剤投与の後に第２の造影剤濃度を測定し、総合造影剤投与値の関数として測定された造影剤濃度値の系列を生じるステップと、
を実行するように構成されるプログラム。
【請求項１６】
関心対象の検査の方法において、
第１の造影剤投与を実行するステップと、
第２の造影剤投与を実行するステップと、
前記第１の造影剤投与の後かつ前記第２の造影剤投与の前に第１の造影剤濃度を測定し、前記第２の造影剤投与の後に第２の造影剤濃度を測定し、総合造影剤投与値の関数として測定された造影剤濃度値の系列を生じるステップと、
を有する方法。
【請求項１７】
前記第１の造影剤濃度が、第１の緩和速度に基づいて測定され、前記第２の造影剤濃度が、第２の緩和速度に基づいて測定され、総合造影剤投与値の関数として測定された緩和速度値の系列を生じる、
請求項１６に記載の方法。
【請求項１８】
前記第１の緩和速度が、スピン‐スピン横緩和速度に基づき、磁場不均一性を組み込む、請求項１７に記載の方法。
【請求項１９】
前記系列に基づいて造影剤の注入量に対する緩和速度の変化を決定するステップ、
を更に有する、請求項１７に記載の方法。
【請求項２０】
前記総合投与値の関数としての前記測定された造影剤濃度値の系列が、線形の傾きを持ち、
前記方法が、
前記線形の傾きをフィッティングするステップと、
前記傾きの線形の偏差をモニタリングするステップと、
前記モニタリングされた偏差に基づいて腫瘍の漏出性を決定するステップと、
を更に有し、
前記フィッティングが、前記第１の測定された造影剤濃度の対応する第１のエラーでの重み付け及び前記第２の造影剤濃度の対応する第２のエラーバーでの重み付けに基づいて実行される、
請求項１６に記載の方法。
【請求項２１】
前記第１の造影剤投与及び前記第２の造影剤投与が、連続的な注入手順の間に実行される、請求項１６に記載の方法。
【発明の詳細な説明】
【技術分野】
【０００１】
本発明は、イメージングの分野に関する。特に、本発明は、関心対象の検査用の検査装置、画像処理デバイス、コンピュータ読み取り可能媒体、プログラム及び関心対象のイメージングの方法に関する。
【背景技術】
【０００２】
磁気共鳴に基づく分子イメージング（ＭＲＩ）は、造影剤の正確な定量化により強力にサポートされる。変化する腫瘍の血管新生及びかん流のような治療効果のモニタリングは、臨床ルーチンにおいて極めて重要である。治療効果の検出は、ＭＲ緩和速度Ｒ1、Ｒ2及びＲ2*の変化を誘発する造影剤濃度の正確かつ定量的決定を必要とする。
【０００３】
造影剤投与前後に緩和速度のこれらの変化ΔＲ2*を定量的に測定する方法を使用することにより、緩和速度における造影剤誘発変化は、定量化されることができる。
【０００４】
しかしながら、検査結果の精度は、腫瘍血管増生（vascularity）の定量化の精度により制限される。
【発明の開示】
【発明が解決しようとする課題】
【０００５】
関心対象の血管増生の改良された定量化を持つことが望ましい。
【課題を解決するための手段】
【０００６】
本発明の模範的実施例によると、関心対象の検査用の検査装置が提供されることができ、前記検査装置は、第１の造影剤投与の後かつ第２の造影剤投与の前に第１の造影剤濃度を測定し、前記第２の造影剤投与の後に第２の造影剤濃度を測定し、総合造影剤投与値の関数としての測定された造影剤濃度値の系列を生じるように構成された取得ユニットを有する。
【０００７】
したがって、前記関心対象に対して投与される造影剤の多重注入スキーム（multiple injection scheme）を提供することにより、前記造影剤の各注入又は投与は、前記関心対象、例えば患者の血流内に既に存在する造影剤量に加えられることができる。前記造影剤濃度は、例えば、異なる時間において（したがって異なる総合造影剤投与値において）決定される。これは、例えば腫瘍の血管増生の改良された定量化を提供することができる。
【０００８】
本発明の他の模範的実施例によると、前記検査装置は、第１の所定の時間において前記第１の造影剤投与を実行し、第２の所定の時間において前記第２の造影剤投与を実行するように構成された造影剤投与ユニットを更に有する。
【０００９】
したがって、本発明のこの模範的実施例によると、どのそれぞれの時間に各造影剤投与が実行されるかは、事前に決定されることができる。例えば、連続した投与の間の時間スケールは、前記関心対象内の造影剤が不完全になる典型的な時間スケールより大幅に小さくてもよい。更に、本発明のこの模範的実施例によると、異なる造影剤投与間の時間は変更されることができる。これは、柔軟性のある検査手順をもたらすことができる。
【００１０】
本発明の他の模範的実施例によると、前記検査装置は、磁気共鳴検査装置であり、前記第１の造影剤濃度は、第１の緩和速度に基づいて測定され、前記第２の造影剤濃度は、第２の緩和速度に基づいて測定され、総合造影剤投与値の関数としての測定された緩和速度値の系列を生じる。
【００１１】
したがって、（造影剤濃度に関する）緩和速度は、ＭＲＩ測定に基づいて前記取得ユニットにより測定される。
【００１２】
本発明の他の模範的実施例によると、前記検査装置は、前記系列に基づいて造影剤の注入量に対する緩和速度の変化を決定するように構成される決定ユニットを更に有する。
【００１３】
したがって、前記決定ユニットは、異なる時間において、したがって異なる総合造影剤投与値に対して複数の緩和速度測定を実行するように構成されることができ、前記総合造影剤投与値に基づいて前記緩和速度の変化が計算されることができる。
【００１４】
本発明の他の模範的実施例によると、前記第１の緩和速度は、スピン‐スピン横緩和速度に基づき、磁場不均一性を組み込む。
【００１５】
これは、この緩和速度が酸化鉄ベースの造影剤に対して高い感度を示すので、良い緩和速度決定を提供することができる。
【００１６】
本発明の他の模範的実施例によると、前記総合投与値の関数としての前記想定された造影剤濃度値（又は、ＭＲＩ検査装置の場合には、緩和速度値）の系列は、線形の傾きを持ち、前記決定ユニットは、前記線形の傾きをフィッティングするように更に構成される。前記フィッティングは、前記第１の測定された造影剤濃度（又は第１の測定された緩和速度）の対応する第１のエラーバーでの重み付け、及び前記第２の測定された造影剤濃度（又は第１の測定された緩和速度）の対応する第２のエラーバーでの重み付けに基づいて実行される。
【００１７】
したがって、本発明のこの模範的実施例によると、前記造影剤濃度値‐総合造影剤投与値曲線の平均傾きが決定されることができる。例えば、前記曲線は、前記測定値の潜在的なエラーを考慮に入れることにより線形にフィッティングされることができる。これは、結果的に正確な傾き決定を生じることができる。
【００１８】
しかしながら、他のフィッティング手順が実行されてもよいことに注意すべきである。
【００１９】
本発明の他の模範的実施例によると、前記決定ユニットは、前記傾きの線形性の偏差をモニタリングし、前記モニタリングされた偏差に基づいて前記関心対象の漏出性（leakiness）を決定するように更に構成される。
【００２０】
例えば、前記関心対象が腫瘍である場合、前記腫瘍の中の血管の漏出性が、したがって、評価されることができる。
【００２１】
前記漏出性の決定は、前記測定された緩和速度値の系列に対する非線形モデルのフィッティングに基づいて実行されてもよい。したがって、漏出性の高い腫瘍は、造影剤の蓄積をもたらすことができるので、前記漏出性の高い腫瘍は、したがって、ΔＲ2*対造影剤曲線に対して前記非線形モデルをフィッティングすることにより漏出性の低い腫瘍から区別されることができる。
【００２２】
このような非線形モデルは、例えば、前記漏出性の高い血管の外側の前記造影剤の蓄積による二次の傾き又はより高次の傾きを示す関数の形式で提供されることができる。
【００２３】
本発明の他の模範的実施例によると、前記関心対象は、第１のボクセル及び第２のボクセルを有し、前記傾きの線形性の偏差のモニタリングは、前記第１のボクセル及び前記第２のボクセルに対して実行され、前記関心対象内の異なる領域の区別を生じる。
【００２４】
したがって、本発明のこの模範的実施例によると、各ボクセルに対して線形からの偏差を計算することにより、１つの腫瘍内の異なる領域が区別されることができる。
【００２５】
本発明の他の模範的実施例によると、前記造影剤投与ユニットは、連続的な注入手順の間に前記第１の造影剤投与及び前記第２の造影剤投与を実行するように更に構成される。
【００２６】
例えば、本発明のこの模範的実施例によると、前記造影剤投与の注入速度は、投与手順の間に一定であってもよい。しかしながら、前記注入速度は、例えば前記投与の初めには高い注入速度を持ち、前記投与の終わりには低い注入速度を持つことにより、前記投与中に変更されることができる。
【００２７】
本発明の他の模範的実施例によると前記造影剤は、超常磁性酸化鉄造影剤（ＳＰＩＯ）である。
【００２８】
本発明の他の模範的実施例によると、前記造影剤はターゲット造影剤である。
【００２９】
本発明の他の模範的実施例によると、前記検査装置は、手荷物検査装置、医学的応用装置、材料試験装置又は材料科学解析装置として応用されることができる。本発明の規定された機能は、材料の安全で信頼できる高度に正確な解析を可能にすることができるので、本発明の応用の分野は、材料科学解析であることができる。
【００３０】
本発明の他の模範的実施例によると、前記検査装置は、磁気共鳴検査装置（ＭＲ）、コンピュータ断層撮影検査装置（ＣＴ）、陽電子放出断層撮影装置（ＰＥＴ）、単光子放出コンピュータ断層撮影装置（ＳＰＥＣＴ）、Ｘ線イメージング装置、及び超音波イメージング装置からなるグループの１つとして構成されることができる。
【００３１】
本発明の他の模範的実施例によると、関心対象の検査用の画像処理デバイスが提供されることができ、前記画像処理デバイスは、前記関心対象のデータセットを記憶するメモリを有する。前記データセットは、第１の造影剤投与の後かつ第２の造影剤投与前に測定された第１の造影剤濃度と、前記第２の造影剤投与の後に測定された第２の造影剤濃度とを有することができ、総合造影剤投与値の関数としての測定された造影剤濃度値の系列を有する。
【００３２】
したがって、造影剤の多重注入スキームの間に取得された多重緩和速度を有するデータセットを処理することにより関心対象の血管増生の改良された定量化を実行するように構成された画像処理デバイスが提供されることができる。
【００３３】
更に、前記画像処理デバイスは、前記系列に基づいて造影剤の注入量に対する緩和速度の変化を決定するように構成されることができる。
【００３４】
本発明の他の模範的実施例によると、関心対象の検査の方法が提供されることができ、前記方法は、第１の造影剤投与を実行するステップと、第２の造影剤投与を実行するステップと、前記第１の造影剤投与の後かつ前記第２の造影剤投与の前に第１の造影剤濃度を測定し、前記第２の造影剤投与の後に第２の造影剤濃度を測定し、総合造影剤投与値の関数として測定された造影剤濃度値の系列を生じるステップとを有する。
【００３５】
したがって、腫瘍のような関心対象の血管増生の改良された定量化をもたらすことができる関心対象の検査用の方法が提供される。
【００３６】
本発明の他の態様によると、関心対象の検査のコンピュータプログラムが記憶されるコンピュータ読み取り可能媒体が提供されることができ、前記コンピュータプログラムは、プロセッサにより実行される場合に上述の方法ステップを実行するように構成される。
【００３７】
更に、本発明は、前記コンピュータ読み取り可能媒体に記憶されることができる関心対象の検査のプログラムに関する。前記プログラムは、第１の造影剤投与を実行するステップと、第２の造影剤投与を実行するステップと、第１の造影剤濃度を測定し、第２の造影剤濃度を測定するステップとを実行するように構成されることができ、前記濃度の各々が、造影剤投与中の特定の所定の時間において測定される。
【００３８】
前記プログラムは、好ましくは、データプロセッサのワーキングメモリにロードされることができる。前記データプロセッサは、したがって、本発明の方法の模範的実施例を実行するように構成されることができる。前記コンピュータは、例えばＣ＋＋のような如何なる適切なプログラミング言語により書かれることができ、ＣＤ−ＲＯＭのようなコンピュータ読み取り可能媒体に記憶されることができる。また、前記コンピュータプログラムは、ワールドワイドウェブのようなネットワークから利用可能であってもよく、前記ネットワークから画像処理ユニット若しくはプロセッサ、又は如何なる他の適切なコンピュータにダウンロードされてもよい。
【００３９】
緩和速度の差ΔＲ2*が造影剤の多重注入スキームを用いて測定されることは、本発明の模範的実施例の主旨と見なされることができる。血液サイクル時間は合計測定時間より長いので、各注入は、血流内の既に存在する造影剤量に加えられる。これは、ΔＲ2*対造影剤濃度の線形上昇を示すΔＲ2*値の系列を生じることができる。これは、ΔＲ2*対造影剤濃度の改良された決定を提供することができ、したがって、腫瘍の血管増生の改良された定量化を提供することができる。
【００４０】
本発明のこれら及び他の態様は、以下に記載される実施例を参照して説明され、明らかになる。
【００４１】
本発明の模範的実施例は、図面を参照して以下に説明される。
【発明を実施するための最良の形態】
【００４２】
図面内の図は概略的なものである。異なる図面において、同様又は同一の要素は、同じ参照番号を設けられる。
【００４３】
図１は、本発明によるＭＲＩスキャナシステムの実施例の単純化された概略表現を示す。前記ＭＲＩスキャナシステムは、患者２１５又は例えば試験又は検査されるべき材料のような他の関心対象が配置される検査空間２１７の周りに軸２１８に沿って配置されるコイル２１０を有する。しかしながら、説明された前記検査装置が、例えば材料科学解析のような異なる分野において使用されることができることは、明らかであるべきである。
【００４４】
有利には、関心対象２１５は、検査空間２１７の下側部分に配置される可動台又はコンベヤベルト２１６上に位置する。検査空間２１７を囲むコイル２１０のシステムは、ＨＦコイル２１９、内側コイル２１８及び能動遮蔽コイル（actively shielded coil）又はシールド２１２を有する傾斜磁場コイルの能動遮蔽構成と、低温保持装置（cryostat）２１１を有し、前記コイルは、磁場の生成中に冷却されるために低温保持装置２１１内に配置される。
【００４５】
傾斜磁場コイル２１３、２１２の構成は、傾斜磁場増幅器２２０と、測定された緩和速度値の系列に基づいて造影剤の注入量に対して緩和速度の変化を決定するように構成される決定ユニット（図１に描かれない）とに接続されることができる。
【００４６】
更に、前記ＭＲＩスキャナシステムは、例えばコンベヤベルト２１６を移動するそれぞれのモータ（図１に描かれない）を持つモータ制御ユニットを有してもよい。
【００４７】
本発明の一態様によると、前記ＭＲＩスキャナシステムは、例えば所定の時間間隔中に一定速度で、前記関心対象内への前記造影剤の投与に対して構成される造影剤投与ユニット２２１を更に有してもよい。更に、造影剤投与ユニット２２１は、多段階注入スキームの形式で異なる造影剤投与ステップを実行するように構成されることができる。
【００４８】
しかしながら、本発明が、ＭＲイメージングに限定されず、ＣＴ／ＣＳＣＴイメージングの分野、ＰＥＴイメージングの分野、ＳＰＥＣＴイメージングの分野、Ｘ線イメージングの分野又は超音波イメージングの分野にも適用されることができることに注意すべきである。
【００４９】
図２は、異なる総合造影剤投与値における測定されたΔＲ2*値の概略表現を示す。水平軸１０１は、０μｍｏｌ／ｋｇから９００μｍｏｌ／ｋｇの範囲でμｍｏｌ／ｋｇ単位で（患者の血流内の造影剤濃度である）総合造影剤投与値を示す。縦軸１０２は、ｌ／ｓ単位で前記造影剤の３回の注入のΔＲ2*値を表現する。縦軸１０２は、０から１８０ｌ／ｓの範囲をとる。
【００５０】
患者の血流に投与又は注入される造影剤の例は、Schering AG社により流通されるSupravistである。しかしながら、他の造影剤が使用されることもできる。
【００５１】
下の曲線１０４は、低血管増生マウス腫瘍の結果を示し、上の曲線１０３は、高血管増生マウス腫瘍の結果を示す。測定されたデータ点１１１−１１３及び１１４−１１６それぞれに対する線形フィッティング１０３及び１０４は、前記データ点にそれぞれのエラーバー１０５ないし１０７及び１０８ないし１１０を用いて重み付けすることにより実行されることができる。
【００５２】
例えば腫瘍の血管増生を評価するために、緩和速度の変化ΔＲ2*は、前記関心対象の各ボクセルに対する造影剤の注入量に対して正規化される必要がある。高血管増生腫瘍に対して、低血管増生腫瘍に対するものより高い値のΔＲ2*対造影剤濃度が測定されることができる（図２に描かれる）。治療中の血管増生の減少は、したがって、ΔＲ2*対血液造影剤濃度を測定することによりモニタリングされることができる。これは、造影剤注入前に変化ΔＲ2*が０であると仮定して造影剤の１回の単一注入を用いて決定されることができる。
【００５３】
しかしながら、本発明の一態様によると、ΔＲ2*は、同じ合計量の造影剤を使用して多重注入スキームで測定されることができる。合計測定時間より長い血液サイクル時間を仮定すると、各注入は、血流内の既に存在する造影材料に加えられることができる。前記注入スキームは、１回のΔＲ2*マップの測定が注入速度と比較して速いことを仮定して、多段階スキーム又は前記測定時間に対する連続的注入であってもよい。各注入後のΔＲ2*の測定は、ΔＲ2*対造影剤濃度の線形上昇を示しうるΔＲ2*値の系列を生じることができる。線形傾きとのフィッティングは、造影剤の注入量に対する緩和速度の変化を生じることができる。このフィッティングは、例えば、前記データ点をそれぞれのエラーバー１０５、１０６、１０７及び１０８、１０９、１１０で重み付けすることにより実行されることができる。複数のデータ点が、合計量の１回の単一注入に対するものと同じ造影剤投与を使用することにより生成されることができるので、ΔＲ2*対造影剤濃度のより正確な値が、図２に示されるように計算されることができる。
【００５４】
例えば、（曲線１０３に対する）最後のデータ点１１３及び（曲線１０４に対する）１１６を解析することにより、組織血管増生に対する尺度である前記曲線の以下の傾き、すなわち高血管増生１０３に対する０．１７＋／−０．０４ｋｇ／（ｓ・μｍｏｌ）及び低血管増生１０４に対する０．０６２５＋／−０．０２ｋｇ／（ｓ・μｍｏｌ）が決定されることができる。
【００５５】
前記重み付けされた線形フィッティングを解析することにより、高血管増生曲線に対する値は、０．１８＋０．０１ｋｇ／（ｓ・μｍｏｌ）であり、低血管増生１０４に対する値は、０．０６６＋０．００５ｋｇ／（ｓ・μｍｏｌ）である。
【００５６】
したがって、不確定性は、より高い量の造影剤を使用することなく、前記多重流入スキームにおいて４の倍率で少ない。これは、改良された検査結果を生じうる。
【００５７】
本発明の他の態様によると、追加の情報は、多重注入曲線から描かれることができる。前記傾きの線形性の偏差をモニタリングすることにより、前記腫瘍の漏出性のようなパラメータが、評価されることができる。前記腫瘍内の漏出性の高い血管ネットワークは、造影剤の蓄積を引き起こすことができ、したがって、ΔＲ2*対造影剤曲線に対して非線形モデルをフィッティングすることにより漏出性の低い腫瘍から区別されることができる。また、制限された血流の領域が、この方法により評価されることができる。各ボクセルに対して線形からのこれらの偏差を計算することにより、１つの腫瘍内の異なる領域も区別されることができる。
【００５８】
図３は、本発明による前記方法の模範的実施例を実行する本発明による画像処理デバイスの模範的実施例を示す。図３に描かれた画像処理デバイス４００は、解析されるべき患者又は材料のような関心対象を表現する画像を記憶するメモリ４０２に接続された中央処理ユニット（ＣＰＵ）又は画像プロセッサ４０１を有する。データプロセッサ４０１は、ＭＲＩデバイスのような診断デバイス又は複数の入出力ネットワークに接続されることができる。データプロセッサ４０１は、データプロセッサ４０１において計算又は構成された情報又は画像を表示する表示デバイス４０３、例えばコンピュータモニタに更に接続されることができる。オペレータ又はユーザは、キーボード４０４及び／又は図３には描かれていない他の出力デバイスを介してデータプロセッサ４０１とインタラクトすることができる。
【００５９】
更に、バスシステム４０５を介して、画像処理及び制御プロセッサ４０１を、例えば、前記関心対象の動きをモニタリングする動きモニタに接続することも可能でありうる。例えば、患者の肺が撮像される場合、動きセンサは、呼気センサでありうる。心臓が撮像される場合、前記動きセンサは、心電図でありうる。
【００６０】
本発明による関心対象の検査は、総合投与値の関数としての測定された緩和速度値の系列に基づいて造影剤の注入量に対して緩和速度の変化の決定を可能にすることができる。
【００６１】
本発明の模範的実施例は、ＭＲスキャナコンソールワークステーション、ＣＴスキャナコンソールワークステーション又はＰＥＴスキャナコンソールワークステーション、又はＳＰＥＣＴスキャナコンソールワークステーションに対するソフトウェアオプションとして販売されることができる。
【図面の簡単な説明】
【００６２】
【図１】本発明の模範的実施例によるＭＲＩ装置の単純化された概略表現を示す。
【図２】異なる総合造影剤投与値における測定されたΔＲ2*値の概略表現を示す。
【図３】本発明による方法の模範的実施例を実行する、本発明による画像処理デバイスの模範的実施例を示す。
【図１】
2009507545.tif 000003
【図２】
2009507545.tif 000004
【図３】
2009507545.tif 000005
【国際調査報告】
2009507545.tif 000006
2009507545.tif 000007
2009507545.tif 000008
2009507545.tif 000009
2009507545.tif 000010